(57)【特許請求の範囲】
【請求項１】
少なくとも第１の入力機能を備えた外部機器を接続するインターフェースを具備する無線通信端末において、
前記外部機器が接続されている状態において、前記外部機器に対応して前記無線通信端末上の第２の入力機能を変更する変更手段と、
前記変更手段が入力機能の変更中に基地局からの着信信号を受信した場合、
前記無線通信端末上の入力機能を第２の入力機能へ変更する着信時変更手段と、
文字あるいは図形を表示する表示手段と、
前記変更手段によって変更された前記無線通信端末上の入力機能の入力を受け付けたことに応じて、前記第１の入力機能と前記変更手段によって変更された入力機能の少なくともいずれか１つを前記表示手段に表示する入力機能表示手段と
を具備することを特徴とする無線通信端末。
【請求項２】
少なくとも第１の入力機能を備えた外部機器を接続するインターフェースを具備する無線通信端末において、
前記外部機器の接続に対応して、前記外部機器に対応して前記無線通信端末上の第２の入力機能を変更する変更手段と、
前記変更手段が入力機能の変更中に基地局からの着信信号を受信した場合、
前記無線通信端末上の入力機能を第２の入力機能へ変更する着信時変更手段と、
文字あるいは図形を表示する表示手段と、
前記変更手段によって変更された前記無線通信端末上の入力機能の入力を受け付けたことに応じて、前記第１の入力機能と前記変更手段によって変更された入力機能の少なくともいずれか１つを前記表示手段に表示する入力機能表示手段と
を具備することを特徴とする無線通信端末。
【請求項３】
前記インターフェースは更に第３の入力機能を備えた外部機器を接続するものであって、
前記変更手段は、前記第１の入力機能の入力を受け付けたことに応じて、前記無線通信端末上の第２の入力機能を第４の入力機能へ変更し、
前記第３の入力機能の入力を受け付けたことに応じて、前記無線通信端末上の第２の入力機能を第５の入力機能へ変更する
ことを特徴とする請求項１または２に記載の無線通信端末。
【発明の詳細な説明】
【技術分野】
【０００１】
本発明は、外部周辺機器とのインターフェースを備える無線通信端末に関する。
【背景技術】
【０００２】
従来、携帯電話では音声通話が使用目的として主流であり、ショートメッセージ等の文
字入力は端末上のテンキーによって入力が行われている。
【発明の概要】
【発明が解決しようとする課題】
【０００３】
最近、携帯電話でインターネットやＥ−Ｍａｉｌといった文字情報を扱う利用法が増え
、それに伴い文字入力用のインタフェースとして、システムコネクタ経由の接続を利用し
た外部キーボードがオプションとして使用されている。
【０００４】
しかし、外部キーボードはアルファベットや数字といった多くのキーを持つため、携帯
するには不向きとなるといった欠点がある。
【０００５】
このような状況下において、外部キーボード接続時に端末上のテンキーのキー割り当て
を変更し、外部キーボードの一部の機能を端末上で実現すれば、外部キーボードを小型化
することが可能となる。
【０００６】
本発明の目的は、このような課題に着目することで、外部周辺機器接続時において、そ
の機器に対応して無線通信端末上のキー割り当てに関する機能を変更することが可能な機
構を備えることを目的とする。
【課題を解決するための手段】
【０００７】
上記目的を達成するために、本発明の無線通信端末は、少なくとも第１の入力機能を備えた外部機器を接続するインターフェースを具備する無線通信端末において、前記外部機器が接続されている状態において、前記外部機器に対応して前記無線通信端末上の第２の入力機能を変更する変更手段と、前記変更手段が入力機能の変更中に基地局からの着信信号を受信した場合、前記無線通信端末上の入力機能を第２の入力機能へ変更する着信時変更手段と、文字あるいは図形を表示する表示手段と、前記変更手段によって変更された前記無線通信端末上の入力機能の入力を受け付けたことに応じて、前記第１の入力機能と前記変更手段によって変更された入力機能の少なくともいずれか１つを前記表示手段に表示する入力機能表示手段とを具備することを特徴とする。
【発明の効果】
【０００８】
以上述べた様に、本発明によれば、接続されている外部周辺機器によって無線通信端末
の入力機能を拡張、あるいは変更する手段を具備することにより、外部周辺機器を小型化
することが可能となる。さらに、着信信号受信時において、一時的に無線通信端末の入力
機能を非接続時の状態に変更することが可能となる。
【図面の簡単な説明】
【０００９】
【図１】本発明の無線通信端末のブロック図である。
【図２】本発明で実施例１の概要図である。
【図３】本発明で実施例１の無線通信端末のフローチャートである。
【図４】本発明で実施例２の概要図である。
【図５】本発明で実施例３の概要図である。
【図６】本発明で実施例４の概要図である。
【図７】本発明で実施例４の無線通信端末のフローチャートである。
【発明を実施するための形態】
【００１０】
以下、本発明の無線通信端末の実施例を、図面を参照しながら説明する。
【００１１】
図１は、本発明の一実施の形態である無線通信端末１４の電気的構成を示す概略機能ブ
ロック図である。
【００１２】
本実施例では外部周辺機器とのインターフェースとして、近距離無線通信であるBlueto
oth（登録商標、以下同様）方式を使用した場合を示す。尚、この発明は、上述した実施の形態に限定されるものではない。
【００１３】
図１において、１は事業者の基地局（図示せず）と所定の周波数帯域による電波の送受
信を行う無線部、２は無線部１における通信プロトコル制御及びユーザインタフェース等
の制御を行う主制御部、３は主制御部２による通信プロトコル制御によって確立された通
話チャンネルを用いて送信される信号を復調すると共に送信する信号を変調することによ
って相手側との通話経路を形成する通話制御部である。
【００１４】
４は通話制御部３によって形成された通話経路より送出された音声信号を外部に放音す
るスピーカ、５は外部音声を集音して電気信号に変換し、当該変換した音声信号を通話制
御部３によって形成された通話経路に送出するマイクロホンである。上記スピーカとマイ
クロホン５とによって相手側との通話を行うハンドセットが構成されている。
【００１５】
６は、画像処理部１０（後述する）の制御のもとで各種情報の表示を行う表示部、７は
電話番号等を入力する数字キーや各種機能を動作させる機能キー等からなる操作入力部、
８は前以て設定された付加番号や電話帳のデータ、リダイヤルデータ、及び不在着信デー
タ等を格納する記憶部、９は外部機器からデータ入力される外部入力部である。
【００１６】
１０は主制御部２の制御のもとで表示部６の表示制御とデータの符号化／複合化を行う
機能を有するものでカメラ１１（後述する）によって入力された映像信号をディジタル化
すると共に、所定の符号化方式でエンコードすることで映像化画像信号データを生成して
主制御部２に出力する画像処理部である。
【００１７】
また、画像処理部１０は、主制御部２から与えられる符号化画像データをデコードする
とともに、アナログ化して画像信号を生成して表示部６において表示させる。１１は、映
像を電気的な信号に変換して画像処理部１０に出力するカメラである。
【００１８】
Bluetooth方式は、Bluetooth制御部１２、Bluetooth無線部１３から構成され、Bluetoo
th無線部１３は図示しないBluetooth方式を設けた通信端末やBluetooth基地局と所定の周波数帯域による電波の送受信を行い、Bluetooth制御部１２はBluetooth無線部１３における通信プロトコル制御等の制御を行う。
【００１９】
（実施例１）
図２は実施例１を示す構成図である。
【００２０】
図２における無線通信端末１４は、Bluetooth制御部１２、Bluetooth無線部１３（以下
、合わせてBluetoothユニット部１５と称する）を通じて、無線通信端末１４が外部周辺
機器である外部キーボード１６を接続する例である。
【００２１】
無線通信端末１４は、キーボードの電源が投入され、無線通信端末１４の周囲約１０ｍ
圏内に置かれた場合、外部周辺機器をスレーブとして認識する（図２の「１．キーボード
電源投入」）。
【００２２】
そして、所定のプロトコルを通じて通信リンクの開設処理を実施し、外部周辺機器別に
割り振られたＩＤを取得することにより外部キーボード１６として認識を行う（図２の「
２．キーボード接続検出」）。
【００２３】
外部キーボード１６の接続が検出されると、無線通信端末１４はキー割り当てを外部キ
ーボード１６用に設定されたキー割り当てに変換を行い、接続後、ユーザにキー割り当て
が変更されたことを通知するために、キー割り当て一覧を表示部６に表示する（図２の「
３．接続時にキー割り当て表示」）。
【００２４】
また、各キー機能についてはキー割り当てのうちの１つをＨＥＬＰキーに割り当て、ア
プリケーション動作中であっても常に機能が確認できるようにしてもよい（図２の「４．
キー機能個別表示」）。
【００２５】
図２を用いて説明した無線通信端末の動作を、図３のフローチャートを参照して説明す
る。
【００２６】
外部キーボード１６を使用するために、あらかじめ無線通信端末１４内部のBluetooth
ユニット部１５を主制御部２より起動し、マスタとして待機させ、ユーザによって外部キ
ーボード１６の電源を投入する（Ｓ１）。
【００２７】
電源が投入されるとキーボード内部のBluetoothユニット部１５より、周辺のBluetooth
機器の存在を確認する（Ｓ２）。
【００２８】
マスタである無線通信端末１４を検出するとスレーブとして接続を試みる（Ｓ３）。
【００２９】
この時、無線通信端末１４が接続許可できない場合は、画像処理部１０を通じて表示部
６に「外部キーボードを使用することができません。」等の接続失敗の表示を行い、処理
を終了する。無線通信端末１４が接続可能な場合は、所定のプロトコルに従って通信リン
クの開設処理を実施し、スレーブとして接続する（Ｓ４）。
【００３０】
無線通信端末１４は、プロトコルによって伝送される外部周辺機器個別に割り振られた
周辺機器ＩＤを取得する。取得したＩＤから、無線通信端末１４の主制御部２は接続され
た外部周辺機器が外部キーボード１６であることを記憶部８に書き込まれたＩＤと周辺機
器のテーブルを参照することにより認識する（Ｓ５）。
【００３１】
接続が確立されると、無線通信端末１４は主制御部２により外部キーボード１６に合わ
せたキー割り当て、及び機能を端末自身の操作入力部７に割り当てる（Ｓ６）。
【００３２】
ユーザに外部キーボード１６接続時の端末自身のキー割り当てを説明するために、接続
が成功したらキー割り当てを画像処理部１０を通じて表示部６に表示させてもよい（Ｓ７
）。
【００３３】
次に無線通信端末１４は、主制御部２により外部キーボード１６用のアプリケーション
プログラムを実行する（Ｓ８）。
【００３４】
実行中に図示しない移動通信システム経由の着信があった場合（Ｓ９）には、主制御部
２は画像処理部１０を通じて表示部６に着信表示を行い（Ｓ１０）、主制御部２により操
作入力部７のキー割り当てを一時的に通常の割り当てに戻す（Ｓ１１）。
【００３５】
そしてユーザの通話処理が終了すると（Ｓ１２）、主制御部２はキー割り当てを外部キ
ーボード１６用に戻して（Ｓ１３）、アプリケーションプログラムを再び実行する。
【００３６】
本実施例では、外部キーボード１６により無線通信端末１４のキーに割り当てられてい
た機能が全て実現されているなら、無線通信端末１４上の操作入力部７に操作をより容易
にするような特殊機能を割り当てても良い。このような機能としては、ＷＥＢブラウザ等
のショートカットや、メール作成時のＥ−Ｍａｉｌアドレス入力、文章のカット＆ペース
ト機能等が考えられる。
【００３７】
（実施例２）
図４は実施例２を示す構成図である。
【００３８】
図４は実施例２を応用したものであり、外部キーボード１６をＷＥＢブラウジングやＥ
−Ｍａｉｌ入力等に特化させた場合の例である。
【００３９】
第１の実施例では、外部キーボード１６は無線通信端末１４に必要な入力機能を全て含
んだものであったため、外部キーボード本体が大きくなる傾向があった。図４はＷＥＢブ
ラウズ用やＥ−Ｍａｉｌ用等の小型で特殊な外部キーボード１７を接続することにより、
無線通信端末１４のキーに割り当てられていた機能を外部キーボード１７の用途に特化し
たキー割り当てに制限する例である。
【００４０】
この第２の実施例では、ユーザはＥ−Ｍａｉｌ用の外部キーボード１７を接続すること
により、端末上の操作入力部７と合わせて使用することで、携帯性を損なわずにＥ−Ｍａ
ｉｌに関する全機能を簡易な操作で実現できるようになる。
【００４１】
例えば、実際に端末上の操作入力部７に割り当てる機能としては、メール閲覧時に必要
な基本機能である、［受信］、［各メールボックスへのショートカット］、［アドレス帳
］やメール作成時に使用する［送信］、［メールアドレスのショートカット］とし、外部
キーボード１７は文字入力やメールアドレス入力等を行う場合に使用すればよい。
【００４２】
これらの端末キーの割り当て表示は、図４の「２．メール専用キーボード接続検出」「
３．メール閲覧時」「４．メール作成時」の端末上のキー配列に示すとおりである。
【００４３】
この様にすることで、ユーザは基本的なメール閲覧時の操作を端末上で行うことができ
、メール作成時の操作等が必要な場合は外部キーボード１７を使用するといった使い分け
が可能となる。
【００４４】
（実施例３）
図５は第３実施例を示す構成図である。
【００４５】
図５は、外部入力機器としてオーディオ用のコントローラ１８を接続させた場合の例で
ある。オーディオ用コントローラを無線通信端末１４に接続すると、無線通信端末１４は
端末自身の操作入力部７のキー割り当てをオーディオプレイヤ向けに変換する。オーディ
オ用コントローラ１８には［プレイ］、［ストップ］、［リバース］、［スキップ］、［
ボリューム］等の基本機能のみを含め小型化する。
【００４６】
端末本体の操作入力部７には、［曲選択］、［検索］、［プレイリスト］、［デジタル
フィルタ］等の高度な機能を選択できるようにする。ユーザは基本的な操作はコントロー
ラ１８で行い、曲をトラック番号やアーティスト名で選択したり、自分のお気に入りの曲
順で演奏させたい場合に端末上の操作入力部７を使用すればよい。
【００４７】
これらの端末キーの割り当て表示は、図５の「２．オーディオコントローラ接続検出」
「３．曲選択、イコライザ等の高度な機能使用時」「４．基本機能使用時」の端末上のキ
ー配列に示すとおりである。
【００４８】
（実施例４）
図６は第４実施例を示す構成図である。
【００４９】
図６は、複数の外部入力機器が無線通信端末１４に接続された場合の例である。Blueto
oth方式による接続は、マスタを除いて最大７つまでのスレーブと同時に通信を行うこと
ができる。この実施例では、Ｅ−Ｍａｉｌ用外部キーボード１７とオーディオ用コントロ
ーラ１８を無線通信端末１４に接続し、各外部入力機器から無線通信端末１４が信号を受
信すると、動的に端末自身の操作入力部７のキー割り当てを各外部入力機器向けに変換す
る。
【００５０】
この無線通信端末の動作について、図７のフローチャートを参照して説明する。
【００５１】
外部入力機器を使用するために、あらかじめ無線通信端末１４内部のBluetoothユニッ
ト部を主制御部２より起動し、マスタとして待機させる。ユーザによってＷＥＢ用外部キ
ーボード１７、及びオーディオ用コントローラ１８の電源を投入する（Ｓ１）。
【００５２】
電源が投入されると各外部入力機器のBluetoothユニット部より、周辺のBluetooth機器
の存在を確認する（Ｓ２）。
【００５３】
マスタである無線通信端末１４を検出すると各外部入力機器はスレーブとして接続を試
みる（Ｓ３）。
【００５４】
この時、無線通信端末１４が接続許可できない場合は、画像処理部１０を通じて表示部
６に「外部キーボードを使用することができません。」等の接続失敗の表示を行い、処理
を終了する。無線通信端末１４が接続可能な場合は、所定のプロトコルに従って通信リン
クの開設処理を実施し、スレーブとして接続する（Ｓ４）。
【００５５】
無線通信端末１４は、プロトコルによって伝送される外部周辺機器個別に割り振られた
周辺機器ＩＤを取得する。取得したＩＤから、無線通信端末１４の主制御部２は接続され
た外部周辺機器がＥ−Ｍａｉｌ用外部キーボード１７であることを記憶部８に書き込まれ
たＩＤと周辺機器のテーブルを参照することにより認識する（Ｓ５）。
【００５６】
また、オーディオ用コントローラ１８についても同様に上記の処理を繰り返し、スレー
ブとして接続する。接続が確立されると、無線通信端末１４は主制御部２により外部入力
機器に合わせたキー割り当て、及び機能を端末自身の操作入力部７に割り当てる（Ｓ６）
。
【００５７】
ユーザに外部入力機器接続時の端末自身のキー割り当てを説明するために、接続が成功
したらキー割り当てを画像処理部１０を通じて表示部６に表示させてもよい（Ｓ７）。
【００５８】
次に無線通信端末１４は、主制御部２により外部キーボード１７用のアプリケーション
プログラムを実行する（Ｓ８）。
【００５９】
実行中に図示しない移動通信システム経由の着信があった場合（Ｓ９）には、画像処理
部１０を通じて表示部６に着信表示を行い（Ｓ１０）、主制御部２により操作入力部７の
キー割り当てを一時的に通常の割り当てに戻す（Ｓ１１）。
【００６０】
そしてユーザの通話処理が終了すると（Ｓ１２）、キー割り当てを外部キーボード１７
用に戻して（Ｓ１３）、アプリケーションプログラムを再び実行する。
【００６１】
複数の外部入力機器が接続されると、無線通信端末１４の操作入力部７は各外部入力機器
からの入力に対応して、キー割り当てを動的に変換する（Ｓ１４、Ｓ１５）。また、無線
通信端末１４の操作入力部７上に外部入力機器切り替え用のキーを割り当てても良い。
【符号の説明】
【００６２】
１・・・無線部、２・・・主制御部、３・・・通話制御部、４・・・スピーカ、５・・
・マイクロホン、６・・・表示部、７・・・操作入力部、８・・・記憶部、９・・・外部
入力部、１０・・・画像処理部、１１・・・カメラ、１２・・・Bluetooth制御部、１３
・・・Bluetooth無線部、１４・・・無線通信端末、１５・・・Bluetoothユニット部、１
６・・・外部キーボード、１７・・・Ｅ−Ｍａｉｌ用外部キーボード、１８・・・オーデ
ィオ用コントローラ
【図１】
0005007451.tif 000002
【図２】
0005007451.tif 000003
【図３】
0005007451.tif 000004
【図４】
0005007451.tif 000005
【図５】
0005007451.tif 000006
【図６】
0005007451.tif 000007
【図７】
0005007451.tif 000008